(57)【特許請求の範囲】
【請求項１】
アナログ情報信号を変換してディジタル化したディジタル情報信号を記録媒体に定める所定のサンプリング周波数にてその記録媒体に記録し又はその記録媒体から再生するディジタル記録再生装置において、
上記所定のサンプリング周波数の整数倍のサンプリング周波数にてアナログ情報信号をディジタル情報信号に変換するディジタル化手段と、
上記ディジタル化手段にてディジタル化されたディジタル情報信号を、上記所定のサンプリング周波数の整数倍のサンプリング周波数にて圧縮する圧縮手段と、
上記圧縮手段にて圧縮されたディジタル情報信号を、サンプリング毎に順次交互に上記記録媒体における第一の記録領域と第二の記録領域とに振り分けて上記所定のサンプリング周波数にて記録する記録手段とが備えられていることを特徴とするディジタル記録再生装置。
【請求項２】
記録媒体から所定のサンプリング周波数にてディジタル情報信号を読み取る読取手段と、
上記読取手段により読み取ったディジタル情報信号を上記所定のサンプリング周波数の整数倍のサンプリング周波数にて伸長する伸長手段と、
上記伸長手段により伸長されたディジタル情報信号を、上記所定のサンプリング周波数の整数倍のサンプリング周波数にてアナログ情報信号に変換するアナログ化手段とが備えられていることを特徴とする請求項１記載のディジタル記録再生装置。
【請求項３】
所定のサンプリング周波数の整数倍のサンプリング周波数にてディジタル化しかつ圧縮したディジタル情報信号を記録した記録媒体であることを、該記録媒体に主情報とは別個に付加情報として記録するサンプリング情報記録手段が備えられていることを特徴とする請求項１又は２記載のディジタル記録再生装置。
【請求項４】
サンプリング情報記録手段にて付加情報を記録した記録媒体から付加情報が得られたときは、所定のサンプリング周波数の整数倍のサンプリング周波数にて伸長手段及びアナログ化手段を動作させる付加情報動作制御手段が備えられていることを特徴とする請求項３記載のディジタル記録再生装置。
【請求項５】
記録媒体における第一の記録領域又は第二の記録領域に記録されたディジタル情報信号を管理する付加情報を記録媒体の第三の記録領域に記録する振り分け情報記録手段が備えられていることを特徴とする請求項１記載のディジタル記録再生装置。
【請求項６】
記録媒体にサンプリング毎に順次交互に第一の記録領域と第二の記録領域とに振り分けて記憶されたディジタル情報信号のうち、少なくとも一方はフィルタを介したデータであることを特徴とする請求項５記載のディジタル記録再生装置。
【請求項７】
所定のサンプリング周波数にて再生するときに、フィルタを介したデータのみを再生させるフィルタデータ再生制御手段が備えられていることを特徴とする請求項６記載のディジタル記録再生装置。
【請求項８】
所定のサンプリング周波数の整数倍のサンプリング周波数にてディジタル化しかつ圧縮したディジタル情報信号を記録した記録媒体を、上記所定のサンプリング周波数の整数倍のサンプリング周波数にて再生するときには、記録媒体における第一の記録領域のデータと第二の記録領域のデータとを元の順序に並び替え、所定のサンプリング周波数の整数倍のサンプリング周波数にて伸長手段及びアナログ化手段を動作させるデータ連結制御手段が備えられていることを特徴とする請求項６記載のディジタル記録再生装置。
【発明の詳細な説明】
【０００１】
【発明の属する技術分野】
本発明は、アナログ情報信号を変換してディジタル化したディジタル情報信号を例えばＭＤ（ミニディスク）等の記録媒体に定める所定のサンプリング周波数にてその記録媒体に記録し又はその記録媒体から再生するディジタル記録再生装置に関するものであり、詳細には、高周波領域の音質特性の向上に関する。
【０００２】
【従来の技術】
オーディオ用コンパクトディスク（ＣＤ）やミニディスク（ＭＤ）では、アナログ音響信号波形をディジタルに変換して録音する。
【０００３】
上記アナログ信号をディジタル信号に変換するに際しては、図８（ａ）（ｂ）に示すように、音響信号波形をどのくらい細かい時間間隔にてサンプリングしてどのくらい精確に読むかによって、元の波形をどれだけ忠実に再現できるかが決まる。
【０００４】
上記の音響信号波形の横軸をどれだけ細かく区切るかを標本化又はサンプリングというが、特に、１秒間に読み取る数を標本化周波数又はサンプリング周波数Ｆｓと言う。
【０００５】
上述したように、波形をより忠実に再現するためには、その変化を追跡できるぐらいに細かく区切って読むことが必要である。その目安を立てるには、標本化定理という情報理論を用いて、一般的には、再現しようとする音波の周波数の２倍以上にサンプリング周波数Ｆｓを設定する。すなわち、サンプリング周波数Ｆｓを例えば４８ｋＨｚ（１秒間の音波の波形を４８０００に区切って読む）と決めると、その１／２に当たる２４ｋＨｚが再生周波数範囲の上限となる。したがって、この周波数以下の音響信号は再現できるが、これ以上の周波数は再現できないことになる。
【０００６】
ところで、従来のオーディオ用コンパクトディスクやミニディスク（ＭＤ）では、記録するときのサンプリング周波数Ｆｓは４４．１ｋＨｚにフォーマットとして設定されているため、再生周波数はフィルタ特性を考慮して周波数２０ｋＨｚとなっている。
【０００７】
しかし、ここ数年来、２０ｋＨｚ以上の周波数成分も人間のオーディオ信号の知覚に影響があるという報告がなされている。このため、サンプリング周波数Ｆｓを４４．１ｋＨｚに設定するという従来機との共通性を持たせ、なおかつ高周波域成分も再生可能な技術が開示されている。
【０００８】
例えば、特開平６−３４２５５８号公報に開示された技術では、ＣＤやＤＡ（Digital Audio)に対して、サンプリング周波数Ｆｓ＝４４．１ｋＨｚにてディジタル化した音声信号をオーディオ領域に記録する。そして、ナイキスト周波数（２２．０５ｋＨｚ）以上の帯域の情報信号をフィルタ等を使用して抽出し、さらに、圧縮符号化してサブコード領域に記録する。
【０００９】
これにより、サブコード領域に記録したデータと従来のオーディオ領域のデータとの両方を再生することによって高品質な音声信号を再生できるようになっている。なお、この公報の技術では、オーディオ領域のみを再生することにより通常再生も可能にしている。
【００１０】
ところで、従来の一般的なＭＤ録音再生装置では、図９に示すように、録音時には、サンプリング周波数Ｆｓ＝４４．１ｋＨｚにてアナログディジタルコンバータ（ＡＤＣ）部５６によりオーディオ入力信号をアナログ信号からディジタル信号に変換する。
【００１１】
ディジタルに変換された信号は信号処理部５４内における圧縮・伸長回路部であるＡＴＲＡＣ部５５にてＡＴＲＡＣ(Adaptive Transform Acoustic Coding)方式により、上記と同じサンプリング周波数Ｆｓ＝４４．１ｋＨｚにてデータ圧縮され、メモリ部（ＤＲＡＭ：Dynamic Random Access Memory）５８に蓄えられる。
【００１２】
次いで、メモリ部５８に蓄えられたデータは、順次、磁気ヘッド５２を介してディスク５３に上記と同じサンプリング周波数Ｆｓ＝４４．１ｋＨｚにて記録される。
【００１３】
一方、再生時には、ディスク５３に記録された信号をピックアップ部５１にてサンプリング周波数Ｆｓ＝４４．１ｋＨｚで読み取り、信号処理部５４に入力する。信号処理部５４に入力されたデータは、一旦、メモリ部５８に蓄えられ、順次、ＡＴＲＡＣ部５５に入力される。次いで、圧縮されていたデータをＡＴＲＡＣ部５５にてサンプリング周波数Ｆｓ＝４４．１ｋＨｚで伸長し、ディジタルアナログコンバータ（ＤＡＣ）部５７に入力する。ディジタルアナログコンバータ部５７は、サンプリング周波数Ｆｓ＝４４．１ｋＨｚにてディジタル信号をアナログ信号に変換し、これによって、オーディオ出力信号が得られる。
【００１４】
以上の録音・再生の動作は、コントロール部５９が信号処理部５４をコントロールすることにより実現される。
【００１５】
また、上記の回路では、上述したように、アナログディジタルコンバータ部５６、ＡＴＲＡＣ部５５及びディジタルアナログコンバータ部５７の各々のサンプリング周波数は全て、４４．１ｋＨｚにて動作している。したがって、ＡＤＣ部５６、実際にディスク５３に記録したデータ及びＤＡＣ部５７の概念波形は、図１０（ａ）（ｂ）（ｃ）に示すようになる。なお、以下、このサンプリング周波数Ｆｓ＝４４．１ｋＨｚによるアナログディジタル変換を従来方式という。
【００１６】
【発明が解決しようとする課題】
しかしながら、上記公報に開示された従来のディジタル記録再生装置では、通常の音楽信号は従来方式との互換性のために、サンプリング周波数は４４．１ｋＨｚに設定されており、ナイキスト周波数（２２．０５ｋＨｚ）以上は、記録可能領域に制限があるので、この記録可能領域に入るよう圧縮率を上げる必要性が生じる。
【００１７】
また、ナイキスト周波数（２２．０５ｋＨｚ）以上の信号を得るために、サンプリング周波数Ｆｓを変更すること以外に、ナイキスト周波数以上の信号を抽出する回路が必要であり、さらに、抽出したデータ量と記録可能領域における記録可能量とを比較して圧縮手法の選択を行う等の複雑な管理が生じている。したがって、当然、ナイキスト周波数（２２．０５ｋＨｚ）以上のデータ量が多い場合は、記録可能領域が可変とならないために、高圧縮率に頼らざるを得なくなる。
【００１８】
しかし、圧縮率を可変できない場合には、帯域分割を行いビット割当により重み付けを行う手法等によってデータ量を削減する必要がある。すなわち、さらに複雑な信号処理等を行う必要が生じるという問題点を有している。
【００１９】
また、ＭＤ記録再生装置においては、ＣＤ記録再生装置と同様に、サンプリング周波数Ｆｓが４４．１ｋＨｚに固定されていることより、記録される圧縮信号の帯域は２０ｋＨｚに制限されている。したがって、最近規格化されたＤＶＤやＳＡＣＤ等の広帯域のデータからの記録再生では、広帯域のデータがあるにもかかわらず、サンプリング周波数Ｆｓの関係上、周波数２０ｋＨｚ以上の帯域は全てカットして記録することとなり、音質面での不満が数多く見られるという問題点を有している。
【００２０】
本発明は、上記従来の問題点に鑑みなされたものであって、その目的は、記録媒体への書き込み及び読み取りにおける従来方式との互換性を確保しつつ、複雑な信号処理等を行うことを回避して、アナログ波形をより忠実に再現して音質の向上を図り得るディジタル記録再生装置を提供することにある。
【００２１】
【課題を解決するための手段】
本発明のディジタル記録再生装置は、上記課題を解決するために、アナログ情報信号を変換してディジタル化したディジタル情報信号を例えばミニディスク（ＭＤ）等の記録媒体に定める所定のサンプリング周波数である例えば、サンプリング周波数Ｆｓ＝４４．１ｋＨｚにてその記録媒体に記録し又はその記録媒体から再生するディジタル記録再生装置において、上記所定のサンプリング周波数の整数倍のサンプリング周波数にてアナログ情報信号をディジタル情報信号に変換するディジタル化手段と、上記ディジタル化手段にてディジタル化されたディジタル情報信号を、上記所定のサンプリング周波数の整数倍のサンプリング周波数にて圧縮する圧縮手段と、上記圧縮手段にて圧縮されたディジタル情報信号を、サンプリング毎に順次交互に上記記録媒体における第一の記録領域と第二の記録領域とに振り分けて上記所定のサンプリング周波数にて記録する記録手段とが備えられていることを特徴としている。
【００２２】
上記発明によれば、ディジタル記録再生装置は、アナログ情報信号を変換してィジタル化したディジタル情報信号を例えばミニディスク（ＭＤ）等の記録媒体に記録フォーマットとして定める、所定のサンプリング周波数Ｆｓ＝４４．１ｋＨｚにてその記録媒体に記録し又はその記録媒体から再生する。
【００２３】
ここで、アナログ情報信号をミニディスク（ＭＤ）等の記録媒体に記録するときには、先ず、ディジタル化手段が、上記所定のサンプリング周波数Ｆｓ＝４４．１ｋＨｚの整数倍のサンプリング周波数にてアナログ情報信号をディジタル情報信号に変換する。
【００２４】
すなわち、アナログ情報信号をディジタル化するときには、サンプリング周波数Ｆｓの約１／２の周波数までしか変換することができないので、従来では、フィルタ特性等を考慮して周波数約２０ｋＨｚよりも高周波領域のアナログ情報信号を変換することができなかった。
【００２５】
しかし、本発明では、アナログ情報信号を従来のミニディスク（ＭＤ）等にて規定される所定のサンプリング周波数＝４４．１ｋＨｚの整数倍のサンプリング周波数にてディジタルに変換する。したがって、整数倍として例えば２倍のサンプリング周波数Ｆｓ＝８８．２ｋＨｚにてディジタルに変換したときには、その１／２の周波数４４．１ｋＨｚまでの高周波領域のアナログ情報信号を変換することができる。この結果、従来よりも、約２倍の高周波領域のアナログ情報信号を変換することが可能となる。
【００２６】
次いで、上記所定のサンプリング周波数の整数倍のサンプリング周波数にて変換されたディジタル情報信号は、圧縮手段によって、同じく、所定のサンプリング周波数の整数倍のサンプリング周波数にて圧縮される。
【００２７】
そして、この圧縮されたディジタル情報信号は、記録手段によって、今度は、ミニディスク（ＭＤ）等の記録媒体に定める所定のサンプリング周波数であるサンプリング周波数Ｆｓ＝４４．１ｋＨｚにてその記録媒体に記録される。したがって、ミニディスク（ＭＤ）等の記録媒体に対しては、記録媒体に定める所定のサンプリング周波数であるサンプリング周波数Ｆｓ＝４４．１ｋＨｚにて記録しているので、何ら問題なく記録することができる。
【００２８】
この結果、広帯域のデータを含んだ状態であっても、記録媒体に記録する時は、所定のサンプリング周波数にて記録できる。すなわち、従来の記録手法を利用し、複雑な信号処理手段を設けることなく高周波領域まで記録できるものとなっているので、装置内の変更要素を少なくして高音質を確保することができる。
【００２９】
したがって、記録媒体への書き込みにおける従来方式との互換性を確保しつつ、複雑な信号処理等を行うことを回避して、アナログ波形をより忠実に再現して音質の向上を図り得るディジタル記録再生装置を提供することができる。
【００３０】
また上記発明によれば、記録手段は、圧縮手段によって所定のサンプリング周波数の整数倍のサンプリング周波数にて圧縮されたディジタル情報信号を、サンプリング毎に順次交互に記録媒体における第一の記録領域と第二の記録領域とに振り分けて記録する。
【００３１】
このため、それぞれにまとまりのあるデータを２つの第一の記録領域と第二の記録領域とに振り分けることができる。その結果、第一の記録領域及び第二の記録領域に記録したデータを別々に読み出すことができ、記録媒体からの読出しが簡易化される。したがって、データ管理を簡単にすることができる。また、データの読出しアクセスについても、データ記録領域が限定されるため、アクセス時間を早くすることができる。
【００３２】
本発明のディジタル記録再生装置は、上記課題を解決するために、上記記載のディジタル記録再生装置において、記録媒体から所定のサンプリング周波数にてディジタル情報信号を読み取る読取手段と、上記読取手段により読み取ったディジタル情報信号を上記所定のサンプリング周波数の整数倍のサンプリング周波数にて伸長する伸長手段と、上記伸長手段により伸長されたディジタル情報信号を、上記所定のサンプリング周波数の整数倍のサンプリング周波数にてアナログ情報信号に変換するアナログ化手段とが備えられていることを特徴としている。
【００３３】
上記発明によれば、記録媒体から所定のサンプリング周波数にてディジタル情報信号を読み取る読取手段と、上記読取手段により読み取ったディジタル情報信号を上記所定のサンプリング周波数の整数倍のサンプリング周波数にて伸長する伸長手段と、上記伸長手段により伸長されたディジタル情報信号を、上記所定のサンプリング周波数の整数倍のサンプリング周波数にてアナログ情報信号に変換するアナログ化手段とが備えられている。
【００３４】
すなわち、前記記載の高音質方式のディジタル記録再生装置によって記録された記録媒体を再生するときには、先ず、読取手段が記録媒体から所定のサンプリング周波数である例えばサンプリング周波数Ｆｓ＝４４．１ｋＨｚにてディジタル情報信号を読み取る。この読み取りは、記録媒体の所定のサンプリング周波数であるサンプリング周波数Ｆｓ＝４４．１ｋＨｚにて行われるので、何ら問題なく読み取ることができる。
【００３５】
次いで、読取手段にて読み取られたディジタル情報信号は、伸長手段によって、所定のサンプリング周波数の整数倍のサンプリング周波数にて伸長される。さらに、この伸長手段により伸長されたディジタル情報信号は、アナログ化手段によって、所定のサンプリング周波数の整数倍のサンプリング周波数にてアナログ情報信号に変換される。
【００３６】
この結果、記録媒体に所定のサンプリング周波数で記録されたデータを読出し、所定のサンプリング周波数の整数倍にて伸長した後、ディジタルアナログ変換して高音質再生することができる。
【００３７】
そして、再生に関しても、従来機と同様の周波数で記録媒体から読み出すため、従来機からの機器内部の変更点を少なくして、高音質の再生を可能とすることができる。
【００３８】
したがって、記録媒体への読み取りにおける従来方式との互換性を確保しつつ、複雑な信号処理等を行うことを回避して、アナログ波形をより忠実に再現して音質の向上を図り得るディジタル記録再生装置を提供することができる。
【００３９】
本発明のディジタル記録再生装置は、上記課題を解決するために、上記記載のディジタル記録再生装置において、所定のサンプリング周波数の整数倍のサンプリング周波数にてディジタル化しかつ圧縮したディジタル情報信号を記録した記録媒体であることを、該記録媒体に主情報とは別個に付加情報として記録するサンプリング情報記録手段が備えられていることを特徴としている。
【００４０】
すなわち、所定のサンプリング周波数の整数倍のサンプリング周波数にてディジタル情報信号に変換し圧縮した情報信号を記録媒体に記録する高音質方式においても、記録媒体に記録するときには、通常の所定のサンプリング周波数にて記録される。このため、高音質方式にて記録したことを記録媒体の例えばＵＴＯＣ領域に記録しておかなければ、高音質方式にて適切に再生することができない。
【００４１】
しかし、本発明によれば、所定のサンプリング周波数の整数倍のサンプリング周波数にてディジタル化しかつ圧縮したディジタル情報信号を記録した記録媒体であることを、該記録媒体に主情報とは別個に付加情報として記録するサンプリング情報記録手段が備えられている。
【００４２】
したがって、再生するときに、付加情報を参照すれば、高音質方式にて記録されたことが判断できるので、高音質方式にて適切に再生することができる。
【００４３】
また、このことにより、記録媒体の内容を主情報の再生をするまでもなく読み取ることができ、従来方式では再生しないように制御することができる。
【００４４】
この結果、記録媒体への書き込み及び読み取りにおける従来方式との互換性を確保しつつ、複雑な信号処理等を行うことを回避して、アナログ波形をより忠実に再現して音質の向上を図り得るディジタル記録再生装置を提供することができる。
【００４５】
本発明のディジタル記録再生装置は、上記課題を解決するために、上記記載のディジタル記録再生装置において、サンプリング情報記録手段にて付加情報を記録した記録媒体から付加情報が得られたときは、所定のサンプリング周波数の整数倍のサンプリング周波数にて伸長手段及びアナログ化手段を動作させる付加情報動作制御手段が備えられていることを特徴としている。
【００４６】
上記発明によれば、サンプリング情報記録手段にて付加情報を記録した記録媒体から付加情報が得られたときは、付加情報動作制御手段は、所定のサンプリング周波数の整数倍のサンプリング周波数にて伸長手段及びアナログ化手段を動作させる。
【００４７】
したがって、記録媒体に記録された付加情報により、どのようなサンプリング周波数で記録されているかを外部からわざわざインプットすることなく、適正なサンプリング周波数に設定することができる。つまり、マニュアルにて従来方式にて記録された記録媒体か又は高音質方式にて記録された記録媒体かを判断することなく、最適再生が可能となる。また、誤って異なったサンプリング周波数にて再生することを防ぐこともできる。
【００４８】
本発明のディジタル記録再生装置は、上記課題を解決するために、上記記載のディジタル記録再生装置において、記録媒体における第一の記録領域又は第二の記録領域に記録されたディジタル情報信号を管理する付加情報を記録媒体の例えばＵＴＯＣ等の第三の記録領域に記録する振り分け情報記録手段が備えられていることを特徴としている。
【００４９】
すなわち、主情報を記録媒体における第一の記録領域と第二の記録領域とに振り分けて記録したときには、管理データの付加情報をすぐに読み出せる場所に記録しておくのが好ましい。
【００５０】
これに対し、本発明では、振り分け情報記録手段が、記録媒体における第一の記録領域又は第二の記録領域に記録されたディジタル情報信号を管理する付加情報を記録媒体の例えばＵＴＯＣ等の第三の記録領域に記録する。
【００５１】
したがって、管理データの付加情報を主情報を記録する場所とは異なる場所に記録することにより、情報と管理データとの区別を簡易化して記録媒体に記録された情報を早く入手でき、処理時間を短縮することができる。
【００５２】
本発明のディジタル記録再生装置は、上記課題を解決するために、上記記載のディジタル記録再生装置において、記録媒体にサンプリング毎に順次交互に第一の記録領域と第二の記録領域とに振り分けて記憶されたディジタル情報信号のうち、少なくとも一方はフィルタを介したデータであることを特徴としている。
【００５３】
上記発明によれば、記録媒体にサンプリング毎に順次交互に第一の記録領域と第二の記録領域とに振り分けて記憶されたディジタル情報信号のうち、少なくとも一方はフィルタを介したデータである。
【００５４】
このため、少なくとも一方は所定のサンプリング周波数にて記録する時と同様の周波数帯域にすることができるので、同程度のデータを２箇所に記録したこととならず、記録媒体の利用方法も拡大される。
【００５５】
また、逆に、他方をナイキスト周波数以上のデータを含むようにすることができるので、高音質方式による再生も可能となる。
【００５６】
本発明のディジタル記録再生装置は、上記課題を解決するために、上記記載のディジタル記録再生装置において、所定のサンプリング周波数にて再生するときに、フィルタを介したデータのみを再生させるフィルタデータ再生制御手段が備えられていることを特徴としている。
【００５７】
上記発明によれば、フィルタデータ再生制御手段は、所定のサンプリング周波数にて再生するときに、フィルタを介したデータのみを再生させる。
【００５８】
このため、所定のサンプリング周波数の整数倍のサンプリング周波数にてサンプリングした信号を、所定のサンプリング周波数にて再生できる。すなわち、このことは、所定のサンプリング周波数の整数倍のサンプリング周波数にて記録された記録媒体を従来機にて再生可能であることを意味し、これによって、記録媒体の互換性を確実に保つことができる。ただし、再生時間は、従来方式にて記録媒体に記録された時間よりは短縮される。
【００５９】
本発明のディジタル記録再生装置は、上記課題を解決するために、上記記載のディジタル記録再生装置において、所定のサンプリング周波数の整数倍のサンプリング周波数にてディジタル化しかつ圧縮したディジタル情報信号を記録した記録媒体を、上記所定のサンプリング周波数の整数倍のサンプリング周波数にて再生するときには、記録媒体における第一の記録領域のデータと第二の記録領域のデータとを元の順序に並び替え、所定のサンプリング周波数の整数倍のサンプリング周波数にて伸長手段及びアナログ化手段を動作させるデータ連結制御手段が備えられていることを特徴としている。
【００６０】
上記発明によれば、所定のサンプリング周波数の整数倍のサンプリング周波数にてディジタル化しかつ圧縮したディジタル情報信号を記録した記録媒体を、上記所定のサンプリング周波数の整数倍のサンプリング周波数にて再生するときには、データ連結制御手段が、記録媒体における第一の記録領域のデータと第二の記録領域のデータとを元の順序に並び替え、所定のサンプリング周波数の整数倍のサンプリング周波数にて伸長手段及びアナログ化手段を動作させる。
【００６１】
このため、所定のサンプリング周波数の整数倍のサンプリング周波数にて記録された記録媒体を再生するときには、記録された手法の逆手順の再生動作をさせるだけで、高音質再生が可能となる。
【００６２】
【発明の実施の形態】
〔参考例〕
本発明の基本とする参考例について図１及び図２に基づいて説明すれば、以下の通りである。
【００６３】
本参考例のディジタル記録再生装置としてのＭＤ（ミニディスク）記録再９生装置は、サンプリング周波数Ｆｓ＝４４．１ｋＨｚにて記録するという従来のミニディスク（ＭＤ）の記録フォーマットとの互換性を保持しつつ、従来のミニディスク信号よりも音質を改善した信号を記録又は再生する装置である。
【００６４】
上記のＭＤ記録再生装置１０は、図１に示すように、オーディオ信号を入力する入力部１２と、ナイキスト周波数以上をカットするための第１ローパスフィルタ（ＬＰＦ）１１と、アナログ信号をディジタル信号に変換するするためのディジタル化手段としてのアナログディジタルコンバータ（ＡＤＣ）部６と、ディジタル信号を加工したり伝送形式を変更するための信号処理部４と、記録媒体としてのミニディスク３から信号を読み出したり、記録時にデータをミニディスク３に記録するため、レーザー光によりミニディスク３への書き込み領域の一定範囲の温度を上げるための記録手段及び読取手段としてのピックアップ部１と、このピックアップ部１からの照射によりミニディスク３の書き込み部の温度を上げたポイントでの磁区を変換するための記録手段としての磁気ヘッド部２と、記録するための圧縮したデータを一時蓄えたり、ミニディスク３から読み取ったデータを一時保管をするＤＲＡＭ（Dynamic Random Access Memory) 等からなるメモリ部８と、前記各部の制御及びサンプリング周波数Ｆｓの変換等を掌るマイコンからなるサンプリング情報記録手段及び付加情報動作制御手段としてのコントロール部９と、圧縮手段及び伸長手段としてのＡＴＲＡＣ(Adaptive Transform Acoustic Coding)部５にて伸長されたディジタルデータをアナログデータに変換するアナログ化手段としてのディジタルアナログコンバータ部７と、アナログ信号に変換された信号を出力する出力部１３と、外部からの制御内容を入力するキー入力部１４とからなっている。
【００６５】
上記信号処理部４は、ディジタル信号を圧縮又は伸長処理する回路を含み、ミニディスクシステムではＡＴＲＡＣ部５が担っている。このＡＴＲＡＣ部５では、ＡＴＲＡＣ方式にてディジタル信号の圧縮又は伸長処理を行う。ここで、ＡＴＲＡＣ部５にて採用されているＡＴＲＡＣ方式は、ソニー株式会社から提案された信号の圧縮・伸長方式である。
【００６６】
なお、ディジタル信号を圧縮又は伸長処理するシステムは他にも方式があるので、ディジタル信号の圧縮・伸長方式は、システムの構成方法により決定すれば良く、上記ＡＴＲＡＣ方式に限定することはない。
【００６７】
次に、上記構成のＭＤ記録再生装置１０の動作を信号の流れに沿って説明する。
【００６８】
先ず、ＭＤ記録再生装置１０への入力信号は、音声信号や音響信号等のアナログの連続信号である。この連続信号をＭＤ記録再生装置１０の入力部１２に入力すると、次のステップである第１ローパスフィルタ部１１に入力される。
【００６９】
第１ローパスフィルタ部１１では、ＡＤ変換時の折り返しノイズを防ぐため、ナイキスト周波数以上の周波数帯をカットする。
【００７０】
ここで、このナイキスト周波数は、次に述べるように、本参考例では、アナログディジタルコンバータ部６でのサンプリング周波数Ｆｓを８８．２ｋＨｚとするので、その１／２の周波数４４．１ｋＨｚとなっている。すなわち、本参考例では、アナログ情報信号が、周波数４４．１ｋＨｚまで録音できるものとなり、従来の周波数２０ｋＨｚまでしか記録できなかったものに比べて、約２倍の高周波領域まで記録できるようになっている。なお、以下、このように周波数４４．１ｋＨｚまで記録できる方式を高音質方式と言い、周波数２０ｋＨｚまでしか記録できない方式を従来方式と言うこととする。
【００７１】
上記ナイキスト周波数以上の周波数帯をカットされたアナログ音響信号はアナログディジタルコンバータ部６に入力される。
【００７２】
上記アナログディジタルコンバータ部６のサンプリング周波数Ｆｓは、コントロール部９にて制御されている。ここで、従来方式では、アナログディジタルコンバータ部６でのサンプリング周波数Ｆｓは、ミニディスク３のフォーマットから導かれ、所定のサンプリング周波数としての４４．１ｋＨｚである。
【００７３】
しかし、本参考例においては、アナログディジタルコンバータ部６のサンプリング周波数Ｆｓは、上記ミニディスク３のフォーマットから導かれた所定のサンプリング周波数としての４４．１ｋＨｚに対して、このサンプリング周波数Ｆｓ＝４４．１ｋＨｚの整数倍のサンプリング周波数Ｆｓにてディジタル化している。なお、ディジタル化するためのサンプリング周波数Ｆｓは、４４．１ｋＨｚの整数倍であれば良いが、本参考例では、整数倍としての例えば２倍であるサンプリング周波数Ｆｓ＝８８．２ｋＨｚを採用している。
【００７４】
したがって、アナログディジタルコンバータ部６に入力されたアナログ信号である音響信号は、図２（ａ）に示すように、サンプリング周波数Ｆｓ＝８８．２ｋＨｚにてサンプリングされ、ディジタル信号に変換される。
【００７５】
ディジタル信号に変換された音響信号は、次の信号処理回路部４に入力される。この信号処理回路部４に入力されたディジタル信号は、コントロール部９にてサンプリング周波数Ｆｓを８８．１ｋＨｚに設定されたＡＴＲＡＣ部５によって１／５に圧縮される。
【００７６】
なお、ここではミニディスクシステムを前提にしていることから、使用している圧縮技術はＡＴＲＡＣ方式であるが、必ずしもこれに限らず、システムがミニディスクに限定されないならば、他の圧縮技術であるＭＰＥＧ(Moving PictureExperts Group)オーディオ等の他の手法を使用しても構わない。
【００７７】
次に、ＡＴＲＡＣ部５にて圧縮された音響信号のデータは、メモリ部８に入力されて記憶される。メモリ部８に圧縮した音響信号が所定量記憶されると、図２（ｂ）に示すように、記憶された音響データを順次通常のクロックつまりミニディスク３のフォーマットから導かれるサンプリング周波数Ｆｓである４４．１ｋＨｚにてミニディスク３に記録する。
【００７８】
すなわち、サンプリング周波数Ｆｓ＝８８．２ｋＨｚにてサンプリングしてメモリ部８に格納した音響信号のデータをサンプリング周波数Ｆｓ＝４４．１ｋＨｚのサンプリングに伸ばしてミニディスク３に記録する。このため、データの周波数も１／２になる。したがって、例えば、１ｋＨｚの音響信号を高音質方式にてミニディスク３に記録する場合には、５００Ｈｚにて記録することになる。
【００７９】
このように、本参考例では、入力されたアナログデータをサンプリング周波数Ｆｓ＝８８．２ｋＨｚにてディジタル化し、圧縮し、一時記憶すると共に、ミニディスク３にサンプリング周波数Ｆｓ＝４４．１ｋＨｚにて記録している。
【００８０】
ここで、従来方式では、入力転送レートは１．４Ｍｂｐｓ（２ｃＨ×１６ビット×４４．１ｋＨｚ）であり、圧縮されたデータの転送レート、つまりミニディスク３への記録速度は１／５の約３００ｋｂｐｓとなっている。
【００８１】
しかし、本参考例では、アナログディジタルコンバータ部６及びＡＴＲＡＣ部５を２倍の速度で動作させるので、入力転送レートは２．８Ｍｂｐｓ（２ｃＨ×１６ビット×８８．２ｋＨｚ）となるが、圧縮されたデータのミニディスク３への記録速度は従来方式と同じ約３００ｋｂｐｓのままであり、ミニディスク３に記録する頻度を従来の２倍にして圧縮信号の記録を行う。
【００８２】
したがって、従来方式では、約２秒間に１回、約０．５秒間ミニディスク３に記録していたが、本参考例では、約１秒間に１回、約０．５秒間ミニディスク３に記録することになる。
【００８３】
さらに、データ記録領域に関しては、圧縮量は変化させていないので実質データ量は倍となりデータ記録領域も倍の領域が必要になる。このことは、ミニディスク３の記録領域は規定されているため、従来の記録可能時間に比べて実質の記録可能時間が１／２になっていることを表している。すなわち、例えば、８０分記録可能のミニディスク３であれば、従来では８０分間のデータが記録できていたものが、その１／２の４０分間のデータしか記録できないことを示している。
【００８４】
ここで、ミニディスク３にこのような方式で記録したときの、管理方法について説明する。
【００８５】
一般に、ミニディスク３におけるユーザデータの管理領域である第三の記録領域としてのユートック（ＵＴＯＣ:User Table Of Contents)領域３ｄには（図４参照）、記録した音響データの付帯情報データを記録するようになっているが、本参考例では、この付帯情報データには、主情報が所定のサンプリング周波数Ｆｓ＝４４．１ｋＨｚの２倍のサンプリング周波数Ｆｓ＝８８．２ｋＨｚにてサンプリングしたデータであることも含んでいる。
【００８６】
すなわち、上記付帯情報データには、従来方式では再生できないとする情報を従来の管理データとは別個な情報として割り当てる。このことにより、上述した２倍のサンプリング周波数Ｆｓ＝８８．２ｋＨｚにて作成したミニディスク３を従来方式にて再生する時、ノイズ等の不具合が発生しないよう管理することができる。
【００８７】
次に、再生時においては、従来方式と同様の速度、すなわちサンプリング周波数Ｆｓ＝４４．１ｋＨｚにてミニディスク３からピックアップ部１を介して記録されている情報を得る。ここで、記録情報を読み出す順番は主情報を読み出す前に、最初に、ＵＴＯＣ情報から２倍のサンプリング周波数Ｆｓ＝８８．２ｋＨｚにてデータをディジタル化及び圧縮したミニディスク３であることの管理データを得、次いで、この管理データはコントロール部９に入力される。コントロール部９では、得られた管理データに基づき、信号処理部４内のＡＴＲＡＣ部５及びディジタルアナログコンバータ部７をサンプリング周波数Ｆｓ＝８８．２ｋＨｚにて動作するようにコントロールする。
【００８８】
次に、記録されている主情報部から得られたデータは圧縮されたデータのまま信号処理部４を介してメモリ部８に記憶される。読み出したデータがメモリ部８に所定量蓄えられると、蓄えられた順にデータをメモリ部８から取出し、信号処理回路４に入力する。
【００８９】
上記信号処理部４に入力されたデータは、コントロール部９により伸長動作に切り換えられているＡＴＲＡＣ部５に入力される。ＡＴＲＡＣ部５の動作サンプリング周波数Ｆｓはコントロール部９に入力された管理データに基づき８８．２ｋＨｚで動作するように設定しており、通常の２倍のサンプリング周波数Ｆｓとなっている。
【００９０】
すなわち、圧縮されていた音響データはＡＴＲＡＣ部５にて伸長され、サンプリング周波数Ｆｓ＝８８．２ｋＨｚのディジタルデータにデコードされる。サンプリング周波数Ｆｓ＝８８．２ｋＨｚにてデコードされたディジタル信号は、ＡＴＲＡＣ部５と同様に、コントロール部９の管理データに基づき、２倍のサンプリング周波数Ｆｓ＝８８．２ｋＨｚにて動作設定されたディジタルアナログコンバータ部７に入力される。
【００９１】
２倍のサンプリング周波数Ｆｓ＝８８．２ｋＨｚにて動作しているディジタルアナログコンバータ部７に入力されたデータは、図２（ｃ）に示すように、ここで元の広帯域アナログ信号に変換されてアナログ信号として出力部１３に出力される。
【００９２】
この結果、アナログ信号を周波数＝４４．１ｋＨｚまで再生することができるので、従来と比べて、高周波領域の再生が可能となり、高音質を得ることができる。
【００９３】
なお、図２（ａ）（ｂ）（ｃ）においては、波形の推移は、図２（ｂ）に示すミニディスク３への記録された波形が、図２（ａ）（ｃ）に比べて、あたかも帯域が下がった状態となっているが、これは４４．１ｋＨｚにして記録したからであり、上述したように、データ量としては従来方式の２倍の信号のデータを記録したものとなっている。
【００９４】
また、サンプリング周波数Ｆｓ＝８８．２ｋＨｚにてサンプリングしてメモリ部８に記録した音響信号のデータをそのまま、サンプリング周波数Ｆｓ＝８８．２ｋＨｚにてミニディスク３に記録すると、ミニディスク３への記録データ量は２倍となるが、ミニディスク３に記録するときには従来方式と同じサンプリング周波数Ｆｓ＝４４．１ｋＨｚにて記録するために、時間軸が２倍に間延びした状態となり、記録領域は従来方式の２倍を要する。
【００９５】
このように、本参考例のＭＤ記録再生装置１０では、アナログ情報信号を変換してディジタル化したディジタル情報信号を、ミニディスク３の記録フォーマットとして定める所定のサンプリング周波数Ｆｓ＝４４．１ｋＨｚにてミニディスク３に記録し又はミニディスク３から再生する。
【００９６】
ここで、アナログ情報信号をミニディスク３に記録するときには、先ず、アナログディジタルコンバータ部６が、上記所定のサンプリング周波数Ｆｓ＝４４．１ｋＨｚの２倍のサンプリング周波数Ｆｓ＝８８．２ｋＨｚにてアナログ情報信号をディジタル情報信号に変換する。
【００９７】
すなわち、アナログ情報信号をディジタル化するときには、サンプリング周波数Ｆｓの約１／２の周波数までしか変換することができないので、従来では、フィルタ特性等を考慮して周波数約２０ｋＨｚよりも高周波領域のアナログ情報信号を変換することができなかった。
【００９８】
しかし、本参考例では、アナログ情報信号を従来のミニディスク３にて規定される所定のサンプリング周波数＝４４．１ｋＨｚの２倍のサンプリング周波数Ｆｓ＝８８．２ｋＨｚにてディジタルに変換する。したがって、このように、２倍のサンプリング周波数Ｆｓ＝８８．２ｋＨｚにてディジタルに変換したときには、その１／２の周波数４４．１ｋＨｚまでの高周波領域のアナログ情報信号を変換することができる。この結果、従来よりも、約２倍の高周波領域のアナログ情報信号を変換することが可能となる。
【００９９】
次いで、上記所定のサンプリング周波数の２倍のサンプリング周波数Ｆｓ＝８８．２ｋＨｚにて変換されたディジタル情報信号は、ＡＴＲＡＣ部５によって、同じく、所定のサンプリング周波数Ｆｓ＝４４．１ｋＨｚの２倍のサンプリング周波数Ｆｓ＝８８．２ｋＨｚにて圧縮される。
【０１００】
そして、この圧縮されたディジタル情報信号は、ピックアップ部１及び磁気ヘッド部２によって、今度は、ミニディスク３に定める所定のサンプリング周波数Ｆｓであるサンプリング周波数Ｆｓ＝４４．１ｋＨｚにてミニディスク３に記録される。したがって、ミニディスク３に対しては、ミニディスク３に定める所定のサンプリング周波数であるサンプリング周波数Ｆｓ＝４４．１ｋＨｚにて記録しているので、何ら問題なく記録することができる。
【０１０１】
この結果、広帯域のデータを含んだ状態であっても、ミニディスク３に記録するときは、所定のサンプリング周波数Ｆｓ＝４４．１ｋＨｚにて記録できる。すなわち、従来の記録手法を利用し、複雑な信号処理手段を設けることなく高周波領域まで記録できるものとなっているので、装置内の変更要素を少なくして高音質を確保することができる。
【０１０２】
したがって、ミニディスク３への書き込みにおける従来方式との互換性を確保しつつ、複雑な信号処理等を行うことを回避して、アナログ波形をより忠実に再現して音質の向上を図り得るＭＤ記録再生装置１０を提供することができる。
【０１０３】
また、本参考例のＭＤ記録再生装置１０では、ミニディスク３から所定のサンプリング周波数Ｆｓ＝４４．１ｋＨｚにてディジタル情報信号を読み取るピックアップ部１と、ピックアップ部１により読み取ったディジタル情報信号をミニディスク３の記録フォーマットに定めるサンプリング周波数Ｆｓ＝４４．１ｋＨｚの２倍のサンプリング周波数Ｆｓ＝８８．２ｋＨｚにて伸長するＡＴＲＡＣ部５と、ＡＴＲＡＣ部５より伸長されたディジタル情報信号を、上記所定のサンプリング周波数Ｆｓ＝４４．１ｋＨｚの２倍のサンプリング周波数Ｆｓ＝８８．２ｋＨｚにてアナログ情報信号に変換するディジタルアナログコンバータ部７とが備えられている。
【０１０４】
すなわち、高音質方式のＭＤ記録再生装置１０によって記録されたミニディスク３を再生するときには、先ず、ピックアップ部１がミニディスク３からミニディスク３の記録フォーマットに定めるサンプリング周波数である例えばサンプリング周波数Ｆｓ＝４４．１ｋＨｚにてディジタル情報信号を読み取る。この読み取りは、ミニディスク３の上記所定のサンプリング周波数であるサンプリング周波数Ｆｓ＝４４．１ｋＨｚにて行われるので、何ら問題なく読み取ることができる。
【０１０５】
次いで、ピックアップ部１にて読み取られたディジタル情報信号は、ＡＴＲＡＣ部５によって、上記所定のサンプリング周波数Ｆｓ＝４４．１ｋＨｚの２倍のサンプリング周波数Ｆｓ＝８８．２ｋＨｚにて伸長される。さらに、このＡＴＲＡＣ部５により伸長されたディジタル情報信号は、ディジタルアナログコンバータ部７によって、上記所定のサンプリング周波数Ｆｓ＝４４．１ｋＨｚの２倍のサンプリング周波数Ｆｓ＝８８．２ｋＨｚにてアナログ情報信号に変換される。
【０１０６】
この結果、ミニディスク３にサンプリング周波数Ｆｓ＝４４．１ｋＨｚで記録されたデータを読出し、上記所定のサンプリング周波数Ｆｓ＝４４．１ｋＨｚの２倍にて伸長した後、ディジタルアナログ変換して高音質再生することができる。
【０１０７】
そして、再生に関しても、従来機と同様の周波数でミニディスク３から読み出すため、従来機からの機器内部の変更点を少なくして、高音質の再生を可能とすることができる。
【０１０８】
したがって、ミニディスク３への読み取りにおける従来方式との互換性を確保しつつ、複雑な信号処理等を行うことを回避して、アナログ波形をより忠実に再現して音質の向上を図り得るＭＤ記録再生装置１０を提供することができる。
【０１０９】
ところで、ミニディスク３の記録フォーマットに定めるサンプリング周波数Ｆｓ＝４４．１ｋＨｚの２倍のサンプリング周波数Ｆｓ＝８８．２ｋＨｚにてディジタル情報信号に変換し圧縮した情報信号をミニディスク３に記録する高音質方式においても、ミニディスク３に記録するときには、通常の所定のサンプリング周波数Ｆｓ＝４４．１ｋＨｚにて記録される。このため、高音質方式にて記録したことをミニディスク３の例えばＵＴＯＣ領域に記録しておかなければ、高音質方式にて適切に再生することができない。
【０１１０】
しかし、本参考例によれば、上記所定のサンプリング周波数Ｆｓ＝４４．１ｋＨｚの２倍のサンプリング周波数Ｆｓ＝８８．２ｋＨｚにてディジタル化しかつ圧縮したディジタル情報信号を記録したミニディスク３であることを、このミニディスク３に主情報とは別個に付加情報として記録するコントロール部９が備えられている。
【０１１１】
したがって、再生するときに、付加情報を参照すれば、高音質方式にて記録されたことが判断できるので、高音質方式にて適切に再生することができる。
【０１１２】
また、このことにより、ミニディスク３の内容を主情報の再生をするまでもなく読み取ることができ、従来方式では再生しないように制御することができる。
【０１１３】
この結果、ミニディスク３への書き込み及び読み取りにおける従来方式との互換性を確保しつつ、複雑な信号処理等を行うことを回避して、アナログ波形をより忠実に再現して音質の向上を図り得るＭＤ記録再生装置１０を提供することができる。
【０１１４】
また、本参考例のＭＤ記録再生装置１０では、コントロール部９にて付加情報を記録したミニディスク３から付加情報が得られたときは、コントロール部９は、上記所定のサンプリング周波数Ｆｓ＝４４．１ｋＨｚの２倍のサンプリング周波数Ｆｓ＝８８．２ｋＨｚにてＡＴＲＡＣ部５及びディジタルアナログコンバータ部７を動作させる。
【０１１５】
したがって、ミニディスク３に記録された付加情報により、どのようなサンプリング周波数で記録されているかを外部からわざわざインプットすることなく、適正なサンプリング周波数に設定することができる。つまり、マニュアルにて従来方式にて記録されたミニディスク３か又は高音質方式にて記録されたミニディスク３かを判断することなく、最適再生が可能となる。また、誤って異なったサンプリング周波数にて再生することを防ぐこともできる。
【０１１６】
〔実施の形態１〕
本発明の実施の形態について図３ないし図７に基づいて説明すれば、以下の通りである。なお、説明の便宜上、前記の参考例の図面に示した部材と同一の機能を有する部材については、同一の符号を付し、その説明を省略する。
【０１１７】
本実施の形態のＭＤ記録再生装置では、前記参考例と同様に、アナログディジタルコンバータ部６、ＡＴＲＡＣ部５及びディジタルアナログコンバータ部７では、ミニディスク３への記録のために設定されたサンプリング周波数Ｆｓ＝４４．１ｋＨｚの２倍のサンプリング周波数Ｆｓ＝８８．２ｋＨｚにて変換処理及び圧縮・伸長処理を行うが、ミニディスク３への記録に際しては、サンプリングのデータ毎に２つに振り分けてサンプリング周波数Ｆｓ＝４４．１ｋＨｚにて記録するようになっており、これによって、従来方式と高音質方式とのいずれの方式においても、簡単に切り替え再生できるようになっている。
【０１１８】
すなわち、本実施の形態のディジタル記録再生装置としてのＭＤ記録再生装置２０では、図３に示すように、メモリ部８は、Ａ領域８ａとＢ領域８ｂとの２つの領域を有している。また、信号処理部４とメモリ部８におけるＡ領域８ａとの間には第２ローパスフィルタ（ＬＰＦ）部２１が設けられている。
【０１１９】
そして、信号処理部４のＡＴＲＡＣ部５にてサンプリング周波数Ｆｓ＝８８．２ｋＨｚで圧縮された信号は、サンプリングにおける奇数項、偶数項毎に交互にメモリ部８に順次格納される。詳細には、サンプリングにおける奇数項はフィルタとしての第２ローパスフィルタ部２１を介してメモリ部８のＡ領域８ａに順次格納され、サンプリングにおける偶数項は直接メモリ部８のＢ領域８ｂに順次格納される。
【０１２０】
なお、本実施の形態では、第２ローパスフィルタ部２１は、メモリ部８におけるＡ領域８ａの入力の前に設けられているが、必ずしもこれに限らず、メモリ部８におけるＢ領域８ｂの入力の前においても良い。すなわち、第２ローパスフィルタ部２１は、メモリ部８のＡ領域８ａ又はＢ領域８ｂに入力する前に少なくとも一方の領域入力の前段に挿入する。
【０１２１】
上記第２ローパスフィルタ部２１は、サンプリング周波数Ｆｓ＝４４．１ｋＨｚに対応するナイキスト周波数以上をカットするようカットオフ周波数が設定されている。ここではカットオフ周波数を２０ｋＨｚに設定している。この第２ローパスフィルタ部２１のカットオフ周波数を２０ｋＨｚに設定する理由については、後述する再生時の説明にて詳述する。
【０１２２】
次に、メモリ部８内のＡ領域８ａ及びＢ領域８ｂに格納した圧縮データが所定量になると、メモリ部８内に格納したデータをＡ領域８ａ及びＢ領域８ｂから交互に呼び出し、磁気ヘッド部２を介してミニディスク３にサンプリング周波数Ｆｓ＝４４．１ｋＨｚにて記録する。ミニディスク３に記録する場合も、メモリ部８に記憶する場合と同様に、Ａ領域８ａのデータとＢ領域８ｂのデータとを、図４に示すように、各々、ミニディスク３の主情報を記録する場所である録音用ユーザ領域３ｃにおける第一の記録領域としてのＡ記録領域３ａ又は第二の記録領域としてのＢ記録領域３ｂとに領域を分けて記録する。
【０１２３】
なお、ミニディスク３に領域を分けずに、奇数番目、偶数番目のデータを時系列で交互に記録していき、ＵＴＯＣのセクタにて管理するリンク情報にてパートをリンクしていった場合は、ミニディスク３のパートはディスク全体で２５５までと規定されているためにすぐに破綻してしまう。
【０１２４】
上記ミニディスク３における２つの領域、つまりＡ記録領域３ａ及びＢ記録領域３ｂのデータのＵＴＯＣ領域３ｄにおけるＵＴＯＣ管理は、Ａ記録領域３ａ又はＢ記録領域３ｂのいずれか一方のデータ、ここではＡ記録領域３ａにおける奇数番目のデータを従来通りＵＴＯＣセクタ０にて管理すれば良い。なお、他方についてもＵＴＯＣセクタ０にて管理した場合には、通常、Ａ記録領域３ａのデータとＢ記録領域３ｂのデータとは良く似たデータが記録されていることにより、トラックナンバーの設定等が厳密には異なるにもかかわらず、同じ曲を二度再生することになる等の不具合が生じる。したがって、ミニディスク３におけるＢ記録領域３ｂのデータのＵＴＯＣ管理は、従来方式にてチエツクを行っていないＵＴＯＣセクタ５以降を使用する。本実施の形態では、ＵＴＯＣセクタ５を偶数番目のデータ管理に使用している。
【０１２５】
表１に、奇数番目のサンプリングデータの曲の管理データをＵＴＯＣセクタ０に記録し、偶数番目のサンプリングデータの曲の管理データをＵＴＯＣセクタ５に記録する例を示す。
【０１２６】
【表１】
0003676147.tif 000002
【０１２７】
ここで、「ＴＮＯ．」はトラックナンバーのことである。また、ＴＮＯ．１及びＴＮＯ．３は、高音質方式にて録音した曲を示しており、これらＴＮＯ．１及びＴＮＯ．３の奇数番目のサンプリングデータはＵＴＯＣセクタ０にて管理される。
【０１２８】
ＴＮＯ．１の奇数番目のサンプリングデータのスタートアドレスは「ａ０」、エンドアドレスは「ｂ０」である。
【０１２９】
また、ＴＮＯ．１の偶数番目のサンプリングデータはＵＴＯＣセクタ５にて管理される。ミニディスク３におけるＴＮＯ．１の偶数番目のサンプリングデータのスタートアドレスは「ａ５」、エンドアドレスは「ｂ５」である。
【０１３０】
また、ＴＮＯ．３の奇数番目のサンプリングデータのスタートアドレスは「ｅ０」、エンドアドレスは「ｆ０」である。
【０１３１】
さらに、ＴＮＯ．３の偶数番目のサンプリングデータはＵＴＯＣセクタ５にて管理される。ミニディスク３におけるＴＮＯ．３の偶数番目のサンプリングデータのスタートアドレスは「ｅ５」、エンドアドレスは「ｆ５」である。
【０１３２】
ＴＮＯ．２については、ＵＴＯＣセクタ５で管理されたデータが無く、通常録音された曲つまり従来方式にて録音された曲であり、ＵＴＯＣセクタ０のみで管理する。ＴＮＯ．２のディスクにおけるスタートアドレスは「ｃ０」、エンドアドレスは「ｄ０」である。
【０１３３】
上記のように、奇数番目のサンプリングデータと偶数番目のサンプリングデータとをＵＴＯＣセクタにて管理することにより、従来方式での再生に関しては、ＵＴＯＣセクタ０を確認しているので、ここにデータがあれば、通常のサンプリングにて記録したデータも、２倍のサンプリング周波数Ｆｓ＝８８．２ｋＨｚによるサンプリングにて得たデータも再生可能となる。すなわち、いずれの方式にて記録したかにかかわらず、従来方式にて再生するときには、ＵＴＯＣセクタ５に関しては無視することになり、偶数領域にあるデータは再生しない。
【０１３４】
したがって、高音質方式によって記録したミニディスク３は、従来方式との互換性も兼ね備えることができている。ただし、２倍のサンプリング周波数Ｆｓ＝８８．２ｋＨｚによってデータを得たミニディスク３の場合は、偶数領域分の記録可能時間が実質的に短縮されたことになる。
【０１３５】
また、このようなサンプリングにおける奇数項、偶数項毎に交互にミニディスク３のＡ記録領域３ａ又はＢ記録領域３ｂに記録する方法では、図５（ａ）に示すように、サンプリング周波数Ｆｓ＝８８．２ｋＨｚにてアナログ情報信号がディジタル変換されかつ圧縮された後、ミニディスク３におけるＡ記録領域３ａ又はＢ記録領域３ｂには、図５（ｂ）（ｃ）に示すように、それぞれサンプリング周波数Ｆｓ＝４４．１ｋＨｚにて記録される。
【０１３６】
さらに、このように記録されたミニディスク３を再生したときには、図５（ｄ）に示すように、サンプリング周波数Ｆｓ＝８８．２ｋＨｚにて伸長され、アナログ情報信号に変換される。
【０１３７】
上記構成のＭＤ記録再生装置２０における再生動作について、図６及び図７に示すフローチャートに基づいて説明する。
【０１３８】
最初に、ミニディスク３に記録されたＵＴＯＣ情報を読み出すときには、図６に示すように、先ず、ピックアップ部１は、記録されたミニディスク３のＵＴＯＣ領域からＵＴＯＣセクタ０の読み出しを行う（Ｓ１）。
【０１３９】
次に、ＵＴＯＣセクタ５を使用しているか判定する（Ｓ２）。Ｓ２においてＵＴＯＣセクタ５を便用している場合は、ＵＴＯＣセクタ５を読み出す（Ｓ３）。
【０１４０】
一方、ＵＴＯＣセクタ５を使用していない場合は、ＵＴＯＣ読出しの中では何もせず、ＵＴＯＣ読出しフローから抜ける。
【０１４１】
次に、Ｓ３においてＵＴＯＣセクタ５を読み出した後、高音質方式にて録音されている曲の局番、スタートアドレス及びエンドアドレスをメモリ部８にてメモリする（Ｓ４）。
【０１４２】
以上のＵＴＯＣ読み出し手順を、振り分け情報記録手段としてのコントロール部９が信号処理部４をコントロールすることにより行う。
【０１４３】
次に、ミニディスク３を再生する時は、図７に示すように、先ず、キー入力部１４から高音質再生するか否かを入力する（Ｓ１１）。
【０１４４】
次いで、高音質再生する場合は、記録されたミニディスク３が高音質録音した曲か否かを前記メモリ部８に記憶されたデータにより判定する（Ｓ１２）。
【０１４５】
すなわち、高音質録音がされている場合はＵＴＯＣセクタ５にデータが記録されており、高音質録音がされていない場合はＵＴＯＣセクタ５にデータが記録されていない。このため、ＵＴＯＣセクタ５にデータが記録されているか否かによって、高音質録音がされているか否かを判定できる。
【０１４６】
上記Ｓ１１のキー入力において通常再生を指定した場合には、Ｓ１２においては、高音質録音された曲ではないとして、後述するＳ１７に移行する。
【０１４７】
なお、本フローチャートでは、Ｓ１１にてキー入力部１４から高音質再生するか否かの入力を行っているが、必ずしもこれに限らず、例えば、高音質再生を常に優先し、高音質録音されたミニディスク３は高音質再生しかしない場合は、Ｓ１１を省略し、Ｓ１２から開始しても良い。
【０１４８】
次に、上記Ｓ１２の高音質録音した曲か否かの判定結果により、信号処理部４内の伸長処理をするＡＴＲＡＣ部５、及びディジタルアナログコンバータ部７でのサンプリング周波数Ｆｓを設定する。すなわち、高音質録音した曲の場合はサンプリング周波数Ｆｓ＝８８．２ｋＨｚに設定し（Ｓ１３）、通常録音の場合はサンプリング周波数Ｆｓ＝４４．１ｋＨｚにそれぞれ設定をする（Ｓ１７）。これはフィルタデータ再生制御手段及びデータ連結制御手段としてのコントロール部９が行う。
【０１４９】
次に、高音質録音した曲の場合は、奇数番目、偶数番目のデータを一定ブロック毎に交互に読み込み、メモリ部８のＡ領域８ａ及びＢ記録領域３ｂのそれぞれに蓄積する（Ｓ１４）。なお、一定ブロックの容量は使用するメモリ部８の容量により決定する。
【０１５０】
次に、蓄積されたＵＴＯＣセクタ０のサンプリングデータである奇数番目のデータ及びＵＴＯＣセクタ５のサンプリングデータである偶数番目のデータをデータ連結制御手段としての信号処理部４にて元の順番に並び替える（Ｓ１５）。
【０１５１】
次に、元の順番に並び替えたデータを信号処理部４のＡＴＲＡＣ部５に入力し、圧縮されているデータの伸長処理を行う。ここでのＡＴＲＡＣ部５の動作は、設定されたサンプリング周波数Ｆｓ＝８８．２ｋＨｚにて行われている。
【０１５２】
サンプリング周波数Ｆｓ＝８８．２ｋＨｚで動作しているＡＴＲＡＣ部５にて伸長されたディジタルデータは、ＡＴＲＡＣ部５と同様に、設定されたサンプリング周波数Ｆｓ＝８８．２ｋＨｚにて動作しているディジタルアナログコンバータ部７に入力する。
【０１５３】
ディジタルアナログコンバータ部７に入力されたディジタルデータはここでアナログ信号に変換され、高音質再生を開始する（Ｓ１６）。
【０１５４】
一方、Ｓ１２にて高音質録音した曲でないと判断されたときには、上述のように、Ｓ１７にてサンプリング周波数Ｆｓを４４．１ｋＨｚに設定した後、ＵＴＯＣセクタ０管理のサンプリングデータを読み込み、メモリ部８におけるＡ領域８ａに蓄積する（Ｓ１８）。
【０１５５】
データが一定量蓄積されたら、Ｓ１６に移行して、メモリ部８に格納されたデータを再度読み出し、信号処理部４に入力する。信号処理部４にてサンプリング周波数Ｆｓ＝４４．１ｋＨｚに設定されたＡＴＲＡＣ部５において伸長処理をする。伸長されたデータはサンプリング周波数Ｆｓ＝４４．１ｋＨｚに設定されたディジタルアナログコンバータ部７にてオーディオアナログ信号に変換され、音の再生を開始する。
【０１５６】
通常再生の場合はサンプリング周波数Ｆｓ＝４４．１ｋＨｚであることにより、再生周波数は２０ｋＨｚになっている。
【０１５７】
ここで、前述したメモリ部８のＡ領域８ａにサンプリングにおける奇数項のデータを入れる際に、第２ローパスフィルタ部２１に通したことの意味が生じる。
【０１５８】
すなわち、この第２ローパスフィルタ部２１が無ければ、サンプリング周波数Ｆｓを４４．１ｋＨｚにすることによっての折り返し雑音の発生を抑えることができない。従来方式と同様にサンプリング周波数Ｆｓ＝４４．１ｋＨｚにて再生できるように、サンプリングにおける奇数項のデータには格納する前に第２ローパスフィルタ部２１を通したのである。このことは、ミニディスク３のＡ記録領域３ａに記録した奇数項のデータには、周波数２０ｋＨｚ以上の成分は含まれていないものとして記録されている。
【０１５９】
この手法を取ることにより、従来方式での再生が可能になり高音質方式の再生用に記録したミニディスク３であっても再生時間は短くなるが再生可能になる。
【０１６０】
このように、本実施の形態のＭＤ記録再生装置２０では、ピックアップ部１及び磁気ヘッド部２は、ＡＴＲＡＣ部５によってミニディスク３の記録フォーマットに定めるサンプリング周波数Ｆｓ＝４４．１ｋＨｚの２倍のサンプリング周波数Ｆｓ＝８８．２ｋＨｚにて圧縮されたディジタル情報信号を、サンプリング毎に順次交互にミニディスク３におけるＡ記録領域３ａとＢ記録領域３ｂとに振り分けて記録する。
【０１６１】
このため、それぞれにまとまりのあるデータを２つのＡ記録領域３ａとＢ記録領域３ｂとに振り分けることができる。その結果、Ａ記録領域３ａ及びＢ記録領域３ｂに記録したデータを別々に読み出すことができ、ミニディスク３からの読出しが簡易化される。したがって、データ管理を簡単にすることができる。また、データの読出しアクセスについても、データ記録領域が限定されるため、アクセス時間を早くすることができる。
【０１６２】
ところで、主情報をミニディスク３におけるＡ記録領域３ａとＢ記録領域３ｂとに振り分けて記録したときには、管理データの付加情報をすぐに読み出せる場所に記録しておくのが好ましい。
【０１６３】
これに対し、本実施の形態では、コントロール部９が、ミニディスク３におけるＡ記録領域３ａ又はＢ記録領域３ｂに記録されたディジタル情報信号を管理する付加情報をミニディスク３のＵＴＯＣ領域３ｄに記録する。
【０１６４】
したがって、管理データの付加情報を主情報を記録する録音用ユーザ領域３ｃとは異なる場所に記録することにより、情報と管理データとの区別を簡易化してミニディスク３に記録された情報を早く入手でき、処理時間を短縮することができる。
【０１６５】
また、本実施の形態のＭＤ記録再生装置２０では、ミニディスク３にサンプリング毎に順次交互にＡ記録領域３ａとＢ記録領域３ｂとに振り分けて記憶されたディジタル情報信号のうち、少なくとも一方のＡ記録領域３ａは第２ローパスフィルタ部２１を介したデータである。
【０１６６】
このため、少なくとも一方はミニディスク３の記録フォーマットに定めるサンプリング周波数Ｆｓ＝４４．１ｋＨｚにて記録する時と同様の周波数帯域にすることができるので、同程度のデータを２箇所に記録したこととならず、ミニディスク３の利用方法も拡大される。
【０１６７】
さらに、逆に、他方をナイキスト周波数（２０ｋＨｚ）以上のデータを含むようにすることができるので、高音質方式による再生も可能となる。
【０１６８】
また、本実施の形態のＭＤ記録再生装置２０では、コントロール部９は、上記所定のサンプリング周波数Ｆｓ＝４４．１ｋＨｚにて再生するときに、第２ローパスフィルタ部２１を介したデータのみを再生させる。
【０１６９】
このため、サンプリング周波数Ｆｓ＝４４．１ｋＨｚの２倍のサンプリング周波数Ｆｓ＝８８．２ｋＨｚにてサンプリングした信号を、サンプリング周波数Ｆｓ＝４４．１ｋＨｚにて再生できる。すなわち、このことは、サンプリング周波数Ｆｓ＝４４．１ｋＨｚの２倍のサンプリング周波数Ｆｓ＝８８．２ｋＨｚにて記録されたミニディスク３を従来機にて再生可能であることを意味し、これによって、ミニディスク３の互換性を確実に保つことができる。ただし、再生時間は、従来方式にてミニディスク３に記録された時間よりは短縮される。
【０１７０】
また、本実施の形態のＭＤ記録再生装置２０では、ミニディスク３の記録フォーマットに定めるサンプリング周波数Ｆｓ＝４４．１ｋＨｚの２倍のサンプリング周波数Ｆｓ＝８８．２ｋＨｚにてディジタル化しかつ圧縮したディジタル情報信号を記録したミニディスク３を、上記所定のサンプリング周波数Ｆｓ＝４４．１ｋＨｚの２倍のサンプリング周波数Ｆｓ＝８８．２ｋＨｚにて再生するときには、コントロール部９が、ミニディスク３におけるＡ記録領域３ａのデータとＢ記録領域３ｂのデータとを元の順序に並び替え、所定のサンプリング周波数Ｆｓ＝４４．１ｋＨｚの２倍のサンプリング周波数Ｆｓ＝８８．２ｋＨｚにてＡＴＲＡＣ部５及びディジタルアナログコンバータ部７を動作させる。
【０１７１】
このため、所定のサンプリング周波数Ｆｓ＝４４．１ｋＨｚの２倍のサンプリング周波数Ｆｓ＝８８．２ｋＨｚにて記録されたミニディスク３を再生するときには、記録された手法の逆手順の再生動作をさせるだけで、高音質再生が可能となる。
【０１７２】
【発明の効果】
本発明のディジタル記録再生装置は、以上のように、所定のサンプリング周波数の整数倍のサンプリング周波数にてアナログ情報信号をディジタル情報信号に変換するディジタル化手段と、上記ディジタル化手段にてディジタル化されたディジタル情報信号を、上記所定のサンプリング周波数の整数倍のサンプリング周波数にて圧縮する圧縮手段と、上記圧縮手段にて圧縮されたディジタル情報信号を、サンプリング毎に順次交互に上記記録媒体における第一の記録領域と第二の記録領域とに振り分けて上記所定のサンプリング周波数にて記録する記録手段とが備えられているものである。
【０１７３】
それゆえ、アナログ情報信号を従来の記録媒体にて規定される所定のサンプリング周波数の整数倍のサンプリング周波数にてディジタルに変換するので、整数倍のサンプリング周波数にてディジタルに変換したときには、その１／整数倍の周波数までの高周波領域のアナログ情報信号を変換することができる。この結果、従来よりも、約整数倍の高周波領域のアナログ情報信号を変換することが可能となる。
【０１７４】
また、広帯域のデータを含んだ状態であっても、記録媒体に記録する時は、所定のサンプリング周波数にて記録できる。すなわち、従来の記録手法を利用し、複雑な信号処理手段を設けることなく高周波領域まで記録できるものとなっているので、装置内の変更要素を少なくして高音質を確保することができる。
【０１７５】
したがって、記録媒体への書き込みにおける従来方式との互換性を確保しつつ、複雑な信号処理等を行うことを回避して、アナログ波形をより忠実に再現して音質の向上を図り得るディジタル記録再生装置を提供することができるという効果を奏する。
【０１７６】
また記録手段は、圧縮手段によって所定のサンプリング周波数の整数倍のサンプリング周波数にて圧縮されたディジタル情報信号を、サンプリング毎に順次交互に記録媒体における第一の記録領域と第二の記録領域とに振り分けて記録する。
【０１７７】
それゆえ、それぞれにまとまりのあるデータを２つの第一の記録領域と第二の記録領域とに振り分けることができる。その結果、第一の記録領域及び第二の記録領域に記録したデータを別々に読み出すことができ、記録媒体からの読出しが簡易化される。したがって、データ管理を簡単にすることができる。また、データの読出しアクセスについても、データ記録領域が限定されるため、アクセス時間を早くすることができるという効果を奏する。
【０１７８】
本発明のディジタル記録再生装置は、以上のように、上記記載のディジタル記録再生装置において、記録媒体から所定のサンプリング周波数にてディジタル情報信号を読み取る読取手段と、上記読取手段により読み取ったディジタル情報信号を上記所定のサンプリング周波数の整数倍のサンプリング周波数にて伸長する伸長手段と、上記伸長手段により伸長されたディジタル情報信号を、上記所定のサンプリング周波数の整数倍のサンプリング周波数にてアナログ情報信号に変換するアナログ化手段とが備えられているものである。
【０１７９】
それゆえ、記録媒体に所定のサンプリング周波数で記録されたデータを読出し、所定のサンプリング周波数の整数倍にて伸長した後、ディジタルアナログ変換して高音質再生することができる。
【０１８０】
そして、再生に関しても、従来機と同様の周波数で記録媒体から読み出すため、従来機からの機器内部の変更点を少なくして、高音質の再生を可能とすることができる。
【０１８１】
したがって、記録媒体への読み取りにおける従来方式との互換性を確保しつつ、複雑な信号処理等を行うことを回避して、アナログ波形をより忠実に再現して音質の向上を図り得るディジタル記録再生装置を提供することができるという効果を奏する。
【０１８２】
本発明のディジタル記録再生装置は、以上のように、上記記載のディジタル記録再生装置において、所定のサンプリング周波数の整数倍のサンプリング周波数にてディジタル化しかつ圧縮したディジタル情報信号を記録した記録媒体であることを、該記録媒体に主情報とは別個に付加情報として記録するサンプリング情報記録手段が備えられているものである。
【０１８３】
それゆえ、再生するときに、付加情報を参照すれば、高音質方式にて記録されたことが判断できるので、高音質方式にて適切に再生することができる。
【０１８４】
また、このことにより、記録媒体の内容を主情報の再生をするまでもなく読み取ることができ、従来方式では再生しないように制御することができる。
【０１８５】
この結果、記録媒体への書き込み及び読み取りにおける従来方式との互換性を確保しつつ、複雑な信号処理等を行うことを回避して、アナログ波形をより忠実に再現して音質の向上を図り得るディジタル記録再生装置を提供することができるという効果を奏する。
【０１８６】
本発明のディジタル記録再生装置は、以上のように、上記記載のディジタル記録再生装置において、サンプリング情報記録手段にて付加情報を記録した記録媒体から付加情報が得られたときは、所定のサンプリング周波数の整数倍のサンプリング周波数にて伸長手段及びアナログ化手段を動作させる付加情報動作制御手段が備えられているものである。
【０１８７】
それゆえ、記録媒体に記録された付加情報により、どのようなサンプリング周波数で記録されているかを外部からわざわざインプットすることなく、適正なサンプリング周波数に設定することができる。つまり、マニュアルにて従来方式にて記録された記録媒体か又は高音質方式にて記録された記録媒体かを判断することなく、最適再生が可能となる。また、誤って異なったサンプリング周波数にて再生することを防ぐこともできるという効果を奏する。
【０１８８】
本発明のディジタル記録再生装置は、以上のように、上記記載のディジタル記録再生装置において、記録媒体における第一の記録領域又は第二の記録領域に記録されたディジタル情報信号を管理する付加情報を記録媒体の例えばＵＴＯＣ等の第三の記録領域に記録する振り分け情報記録手段が備えられているものである。
【０１８９】
それゆえ、管理データの付加情報を主情報を記録する場所とは異なる場所に記録することにより、情報と管理データとの区別を簡易化して記録媒体に記録された情報を早く入手でき、処理時間を短縮することができるという効果を奏する。
【０１９０】
本発明のディジタル記録再生装置は、以上のように、上記記載のディジタル記録再生装置において、記録媒体にサンプリング毎に順次交互に第一の記録領域と第二の記録領域とに振り分けて記憶されたディジタル情報信号のうち、少なくとも一方はフィルタを介したデータであるものである。
【０１９１】
それゆえ、少なくとも一方は所定のサンプリング周波数にて記録する時と同様の周波数帯域にすることができるので、同程度のデータを２箇所に記録したこととならず、記録媒体の利用方法も拡大される。
【０１９２】
また、逆に、他方をナイキスト周波数以上のデータを含むようにすることができるので、高音質方式による再生も可能となるという効果を奏する。
【０１９３】
本発明のディジタル記録再生装置は、以上のように、上記記載のディジタル記録再生装置において、所定のサンプリング周波数にて再生するときに、フィルタを介したデータのみを再生させるフィルタデータ再生制御手段が備えられているものである。
【０１９４】
それゆえ、所定のサンプリング周波数の整数倍のサンプリング周波数にてサンプリングした信号を、所定のサンプリング周波数にて再生できる。すなわち、このことは、所定のサンプリング周波数の整数倍のサンプリング周波数にて記録された記録媒体を従来機にて再生可能であることを意味し、これによって、記録媒体への書き込み及び読み取りにおける互換性を確実に保つことができるという効果を奏する。
【０１９５】
本発明のディジタル記録再生装置は、以上のように、上記記載のディジタル記録再生装置において、所定のサンプリング周波数の整数倍のサンプリング周波数にてディジタル化しかつ圧縮したディジタル情報信号を記録した記録媒体を、上記所定のサンプリング周波数の整数倍のサンプリング周波数にて再生するときには、記録媒体における第一の記録領域のデータと第二の記録領域のデータとを元の順序に並び替え、所定のサンプリング周波数の整数倍のサンプリング周波数にて伸長手段及びアナログ化手段を動作させるデータ連結制御手段が備えられているものである。
【０１９６】
それゆえ、所定のサンプリング周波数の整数倍のサンプリング周波数にて記録された記録媒体を再生するときには、記録された手法の逆手順の再生動作をさせるだけで、高音質再生が可能となるという効果を奏する。
【図面の簡単な説明】
【図１】  本発明の基になる参考例を示すブロック図である。
【図２】  上記参考例の回路ブロックにおける各ポジションでの信号を示す概念波形図であり、（ａ）は情報信号をサンプリング周波数Ｆｓ＝８８．２ｋＨｚによるサンプリングにて動作してディジタル化するアナログディジタルコンバータ部及び圧縮を行うＡＴＲＡＣ部での概念波形を示すもの、（ｂ）はミニディスクにサンプリング周波数Ｆｓ＝４４．１ｋＨｚにて記録された概念波形を示すもの、（ｃ）は情報信号をサンプリング周波数Ｆｓ＝８８．２ｋＨｚにて動作して伸長を行うＡＴＲＡＣ部及びアナログ変換するディジタルアナログコンバータ部での概念波形を示すものである。
【図３】  本発明におけるＭＤ記録再生装置の実施の形態を示すブロック図である。
【図４】  上記ＭＤ記録再生装置にてサンプリングの奇数項と偶数項とを振り分けて記録されるミニディスクの構造を示す平面図である。
【図５】  上記ＭＤ記録再生装置の回路ブロックにおける各ポジションでの信号を示す概念波形図であり、（ａ）は情報信号をサンプリング周波数Ｆｓ＝８８．２ｋＨｚによるサンプリングにて動作してディジタル化するアナログディジタルコンバータ部及び圧縮を行うＡＴＲＡＣ部での概念波形を示すもの、（ｂ）はミニディスクのＡ記録領域にサンプリング周波数Ｆｓ＝４４．１ｋＨｚにて記録された奇数番目のサンプリングの概念波形を示すもの、（ｃ）はミニディスクのＢ記録領域にサンプリング周波数Ｆｓ＝４４．１ｋＨｚにて記録された偶数番目のサンプリングの概念波形を示すもの、（ｄ）は奇数番目と偶数番目とを合わせた情報信号をサンプリング周波数Ｆｓ＝８８．２ｋＨｚにより動作して伸長を行うＡＴＲＡＣ
部及びアナログ変換するディジタルアナログコンバータ部での概念波形を示すものである。
【図６】  上記ＭＤ記録再生装置において高音質方式にて記録されたミニディスクを読み出すときの動作を示すフローチャートである。
【図７】  上記ＭＤ記録再生装置において高音質方式にて記録されたミニディスクを読み出した後、再生するときの動作を示すフローチャートである。
【図８】  （ａ）（ｂ）はアナログ音響信号波形のディジタル処理手順を示す説明図である。
【図９】  従来のＭＤ記録再生装置を示すブロック図である。
【図１０】  上記ＭＤ記録再生装置の回路ブロックにおける各ポジションでの信号を示す概念波形図であり、（ａ）は情報信号をサンプリング周波数Ｆｓ＝４４．１ｋＨｚによるサンプリングにて動作してディジタル化するアナログディジタルコンバータ部及び圧縮を行うＡＴＲＡＣ部での概念波形を示すもの、（ｂ）はミニディスクに同様にサンプリング周波数Ｆｓ＝４４．１ｋＨｚにて記録された概念波形を示すもの、（ｃ）は情報信号を同様にサンプリング周波数Ｆｓ＝４４．１ｋＨｚにて動作して伸長を行うＡＴＲＡＣ部及びアナログ変換するディジタルアナログコンバータ部での概念波形を示すものである。
【符号の説明】
１    ピックアップ部（記録手段、読取手段）
２    磁気ヘッド部（記録手段）
３    ミニディスク（記録媒体）
３ａ  Ａ記録領域（第一の記録領域）
３ｂ  Ｂ記録領域（第二の記録領域）
３ｃ  録音用ユーザ領域（主情報を記録する場所）
３ｄ  ＵＴＯＣ領域（第三の記録領域）
４    信号処理部（データ連結制御手段）
５    ＡＴＲＡＣ部（圧縮手段、伸長手段）
６    アナログディジタルコンバータ〔ＡＤＣ〕部（ディジタル化手段）
７    ディジタルアナログコンバータ〔ＤＡＣ〕部（アナログ化手段）
８    メモリ部
８ａ  Ａ領域
８ｂ  Ｂ領域
９    コントロール部（サンプリング情報記録手段、付加情報動作制御手段、
振り分け情報記録手段、フィルタデータ再生制御手段
、データ連結制御手段）
１０    ＭＤ記録再生装置
２０    ＭＤ記録再生装置
２１    第２ローパスフィルタ部（フィルタ）
【図１】
0003676147.tif 000003
【図２】
0003676147.tif 000004
【図３】
0003676147.tif 000005
【図４】
0003676147.tif 000006
【図５】
0003676147.tif 000007
【図６】
0003676147.tif 000008
【図７】
0003676147.tif 000009
【図８】
0003676147.tif 000010
【図９】
0003676147.tif 000011
【図１０】
0003676147.tif 000012